(57)【要約】【課題】  スタンド兼用カバーによって平板状端末機を面上で斜めに立てて支持する場合に、スタンド兼用カバーのヒンジの粘着面が平板状端末機から剥離することを防止し得る、平板状端末機用スタンド兼用カバーを提供する。【解決手段】  ヒンジ３の平板状端末機Ｔへの取付片１３に接着層１５が固着され、この接着層１５の前記取付片１３に固着される面とは反対側の面１５ａが前記平板状端末機Ｔへ接着するための粘着面とされ、前記接着層１５の前記粘着面１５ａとは反対側の面において、カバー本体２をスタンドとして使用する際の前記接着層１５の下縁１７に沿う部分１８が、前記ヒンジ３の前記取付片１３に対して非固着状態とされる。【選択図】    図３
2015167043.tif 000002
【特許請求の範囲】
【請求項１】
平板状端末機の表面を覆うカバー本体と、該カバー本体に連設されるとともに前記平板状端末機の裏面に接着されるヒンジであって、前記カバー本体を前記平板状端末機の表面側と裏面側とに回動させることができるように前記平板状端末機に対して前記カバー本体を連結するヒンジと、を備え、前記カバー本体を前記平板状端末機の裏面側に回してスタンド形状に変形させることにより前記平板状端末機を面上で斜め起立姿勢に保持することができるスタンド兼用カバーであって、前記ヒンジの前記平板状端末機への取付片に接着層が固着され、該接着層の前記取付片に固着される面とは反対側の面が前記平板状端末機へ接着するための粘着面とされ、前記接着層の前記粘着面とは反対側の面において、前記カバー本体をスタンドとして使用する際の前記接着層の下縁に沿う部分が、前記ヒンジの前記取付片に対して非固着状態とされることを特徴とする、平板状端末機用スタンド兼用カバー。
【請求項２】
前記カバー本体に滑り止めが設けられ、前記カバー本体をスタンドとして使用する際に、前記滑り止めが前記平板状端末機の裏面に接触することを特徴とする、請求項１に記載の平板状端末機用スタンド兼用カバー。
【発明の詳細な説明】
【技術分野】
【０００１】
本発明は、スマートフォン、タブレット型パソコン等の平板状端末機のカバーであって、前記平板状端末機を面上で斜めに立てて支持するためのスタンドとして兼用可能な、平板状端末機用スタンド兼用カバーに関するものである。
【背景技術】
【０００２】
前記の如き平板状端末機用スタンド兼用カバーの一例が、特許文献１の図５に示されている。このスタンド兼用カバーは、平板状端末機のディスプレイを保護するためのカバー本体を備え、このカバー本体が、ヒンジによって平板状端末機に連結される。カバー本体は、開いた状態で平板状端末機のディスプレイを覆い、該ディスプレイを保護する。また、カバー本体は、三角柱状に折り畳み変形可能であり、平板状端末機のディスプレイの裏面側に回して三角柱状に折り畳むことにより、平板状端末機を机等の面上で斜めに立て掛けて使用する場合のスタンドとしても機能する（特許文献１の図７（ｂ）参照）。
【０００３】
前記の如きスタンド兼用カバーは、例えば図６に示すように、ヒンジ３０の取付片１３０が粘着面１３０ａとされ、この粘着面１３０ａを平板状端末機Ｔの裏面８に接着することにより、平板状端末機Ｔに取り付けられる。
【先行技術文献】
【特許文献】
【０００４】
【特許文献１】実用新案登録第３１７９１９１号公報
【発明の概要】
【発明が解決しようとする課題】
【０００５】
しかしながら、前記のようなスタンド兼用カバーには、次のような問題がある。図６に示すように、スタンド兼用カバー１００を平板状端末機Ｔのディスプレイの裏面８側に回して三角柱状に折り畳み、平板状端末機Ｔのスタンドとして用いる場合に、ヒンジ３０の取付片１３０が平板状端末機Ｔから剥がれ易いという問題である。
【０００６】
図６から明らかなように、スタンドによる平板状端末機Ｔの傾斜支持状態においては、ヒンジ３０の取付片１３０上に設けた粘着面１３０ａが、平板状端末機Ｔの裏面８の下部に貼り付けられ、三角柱状のスタンドの頂辺付近で平板状端末機Ｔの裏面８が支えられる。このため、傾斜支持状態の平板状端末機Ｔには、重力により、平板状端末機Ｔの下端部Ｔａを机等の面９上で水平方向に移動させようとする力Ａが作用する。
【０００７】
また、平板状端末機Ｔの傾斜支持状態においては、平板状端末機Ｔの裏面８の広い領域（例えば、裏面８の略２／３）が三角柱状のスタンドの頂辺を越えて該頂辺の斜め上方に延在する。このため、傾斜支持状態の平板状端末機Ｔには、重力により、スタンドの頂辺付近と平板状端末機Ｔの裏面８との接触部を支点Ｓとして、平板状端末機Ｔを図６で見て反時計方向へ回転させようとする力（後方へひっくり返ろうとする力）Ｂが作用する。
【０００８】
結果として、傾斜支持状態の平板状端末機には、前記力Ａと前記力Ｂとが合成されてなる合力Ｃが作用することになる。
【０００９】
そして、合力Ｃは、ヒンジ３０の粘着面１３０ａを平板状端末機Ｔの裏面８から引き剥がすように作用する。この引き剥がし力ｆは、図６の状態において、支点Ｓから最も遠い位置にある、粘着面１３０ａの下縁１３０ｂで最も強く働く。そして、粘着面１３０ａの下縁１３０ｂが平板状端末機Ｔから剥がれ始めると、下縁１３０ｂから上に向かって粘着面１３０ａの剥離が進行し、やがて粘着面１３０ａの全面が平板状端末機Ｔから剥がれてしまう。その結果、平板状端末機Ｔは倒れてしまう。
【００１０】
本発明は、前記のような事情に鑑みてなされたものであり、スタンド兼用カバーによって平板状端末機を面上で斜めに立てて支持する場合に、スタンド兼用カバーのヒンジの粘着面が平板状端末機から剥離することを防止し得る、平板状端末機用スタンド兼用カバーを提供しようとするものである。特に、スタンドによる平板状端末機の傾斜支持状態において、粘着面の下縁が平板状端末機から剥がれ始めることを防止し得る、平板状端末機用スタンド兼用カバーを提供しようとするものである。
【課題を解決するための手段】
【００１１】
前記課題を解決するため、本発明に係る平板状端末機用スタンド兼用カバーは、平板状端末機の表面を覆うカバー本体と、該カバー本体に連設されるとともに前記平板状端末機の裏面に接着されるヒンジであって、前記カバー本体を前記平板状端末機の表面側と裏面側とに回動させることができるように前記平板状端末機に対して前記カバー本体を連結するヒンジと、を備え、前記カバー本体を前記平板状端末機の裏面側に回してスタンド形状に変形させることにより前記平板状端末機を面上で斜め起立姿勢に保持することができるスタンド兼用カバーであって、前記ヒンジの前記平板状端末機への取付片に接着層が固着され、該接着層の前記取付片に固着される面とは反対側の面が前記平板状端末機へ接着するための粘着面とされ、前記接着層の前記粘着面とは反対側の面において、前記カバー本体をスタンドとして使用する際の前記接着層の下縁に沿う部分が、前記ヒンジの前記取付片に対して非固着状態とされることを特徴とする（請求項１）。
【００１２】
本発明に係るスタンド兼用カバーは、粘着面を平板状端末機の裏面に接着することにより、平板状端末機に対して取り付ける。そして、カバー本体を平板状端末機の表面に被せることで、カバー本体によって平板状端末機の表面が保護される。
【００１３】
カバー本体は、ヒンジの作用で平板状端末機の裏面側に回すことができる。平板状端末機の裏面側でカバー本体をスタンド形状へと変形させる。これにより、カバー本体が、平板状端末機を机等の面上で斜め起立姿勢に保持するためのスタンドとしても機能する。
【００１４】
本発明では、接着層の、粘着面とは反対側の面において、カバー本体をスタンドとして使用する際の接着層の下縁に沿う部分（沿縁部分）が、ヒンジの取付片に対して非固着状態とされる。このため、カバー本体をスタンドとして使用する場合に、接着層の下縁に対してこれを引き剥がそうとする直接的な力が作用することがない。よって、接着層の下縁が平板状端末機から剥がれ始めることが防止され、結果として、接着層が平板状端末機から剥離することが防止される。
【００１５】
好適な実施の一形態として、前記カバー本体に滑り止めが設けられ、前記カバー本体をスタンドとして使用する際に、前記滑り止めが前記平板状端末機の裏面に接触する態様を例示する（請求項２）。この場合、カバー本体をスタンドとして使用する際に、滑り止めが平板状端末機のずり下がりを防止する。よって、平板状端末機からの接着層の剥離がより確実に防止できる。
【図面の簡単な説明】
【００１６】
【図１】本発明の実施の一形態に係る平板状端末機用スタンド兼用カバーを平板状端末機に取り付けた状態であって、平板状端末機に対してスタンド兼用カバーを開いた状態の平面図である。
【図２】図１のスタンド兼用カバーを平板状端末機のカバーとして用いる場合の側面図である。
【図３】図１のスタンド兼用カバーを平板状端末機のスタンドとして用いる場合の側面図である。
【図４】図１中のスタンド兼用カバーの斜視図である。
【図５】図４のＶ−Ｖ矢視拡大断面図である。
【図６】比較例の、図３に対応する側面図である。
【図７】図６の例と図３の例の各要部を対比して示す説明図であり、図７（ａ）が図６の要部を、図７（ｂ）が図３の要部を示す。
【発明を実施するための形態】
【００１７】
以下、添付図面を参照して、本発明の実施の形態について説明する。
【００１８】
図１に示すように、本発明の実施の一形態に係る平板状端末機用スタンド兼用カバー１は、カバー本体２と、このカバー本体２に連設されるヒンジ３と、を備える。スタンド兼用カバー１は、ヒンジ３によって平板状端末機Ｔに連結される。
【００１９】
図２に示すように、カバー本体２は、平板状端末機Ｔの不使用時に、平板状端末機Ｔの表面７のディスプレイ４を覆ってこれを保護する。カバー本体２は、少なくとも三つのカバー片５が、互いに平行に延びる折り曲げ部６を介して連設された構成である。
【００２０】
図３に示すように、カバー本体２は、折り曲げ部６で折り曲げることにより、所定のスタンド形状に組み立てることができる。これにより、カバー本体２を、平板状端末機Ｔを机等の面９上で斜め起立姿勢に保持するためのスタンドとしても用いることができる。すなわち、カバー本体２を平板状端末機Ｔの裏面８側に回して、例えば横に延びる三角柱状等のスタンド形状に変形させることにより、平板状端末機Ｔを机等の面９上で斜め起立姿勢に保持することができる。
【００２１】
なお、カバー本体２の材料を例示すると、各カバー片５の芯材１０として、ポリ塩化ビフェニル製の硬質な薄板体を用いることができる。少なくとも三つの芯材１０を、相互間に前記折り曲げ部６となる間隔をおいて平行に並べ、それらの全体をポリウレタン製の薄膜１１，１１（図５参照）で上下から挟み、ポリウレタン製の薄膜１１，１１の縁同士と前記折り曲げ部６となる部分同士を接着剤で接合する。その結果、折り曲げ部６は、前記ポリウレタン製の薄膜１１，１１同士の接合で形成される。同様に、ヒンジ３は、前記ポリウレタン製の薄膜１１，１１同士を接着剤で接合したものを延長して作製すればよい。
【００２２】
図２及び図３に示すように、ヒンジ３は、カバー本体２に連設されている。ヒンジ３は、カバー本体２を平板状端末機Ｔの表面７側と裏面８側とに回動させることができるように、平板状端末機Ｔに対してカバー本体２を連結する。
【００２３】
図４及び図５に示すように、ヒンジ３は、頻繁な折り曲げ動作への良好な耐性を有するヒンジ本体１２と、このヒンジ本体１２に連設される取付片１３と、を備える。取付片１３の一方の面１３ａ（カバー本体２の裏面８側の面）は、平板状端末機Ｔに対する取付面となる。この取付面１３ａ上には、接着剤１４によって接着層１５が強固に固着されている。この接着層１５は、ヒンジ３の取付片１３と同じく、例えばポリウレタン製の薄膜を用いて作製することができる。接着層１５の、ヒンジ３の取付面１３ａに固着される面とは反対側の面１５ａは、全面が、平板状端末機Ｔへ接着するための粘着面とされる。この粘着面１５ａは、シリコン樹脂等の接着剤によって形成する。
【００２４】
スタンド兼用カバー１の未使用状態においては、粘着面１５ａは、剥離自在なカバーフィルム１６で覆われている。このカバーフィルム１６を剥がして粘着面１５ａを露出させ、この粘着面１５ａを、図１及び図２に示すように、通常プラスチック又は金属で形成される平板状端末機Ｔの外殻の裏面８に接着する。これにより、カバー本体２が平板状端末機Ｔに連結される。
【００２５】
なお、図示明確化のため、図１〜図３及び図５においては、ヒンジ３の取付片１３と、この取付片１３上に固着される接着層１５と、の間の接着剤１４を誇張して示してある。
【００２６】
本実施の形態に係るスタンド兼用カバー１においては、図３に示すように、接着層１５の粘着面１５ａとは反対側の面において、カバー本体２をスタンドとして使用する際の接着層１５の下縁１７に沿う部分（沿縁部分）１８が、ヒンジ３の取付片１３に対して非固着状態とされている。すなわち、接着層１５の、ヒンジ３の取付片１３に固着される面とは反対側の面の全面が、平板状端末機Ｔへ接着するための粘着面１５ａとされ、この粘着面１５ａが平板状端末機Ｔの裏面８に接着されるのに対し、接着層１５の粘着面１５ａとは反対側の面のうち、カバー本体２をスタンドとして使用する際の接着層１５の下縁１７に沿う沿縁部分１８は、ヒンジ３の取付片１３に対して非固着状態となっている。
【００２７】
前に述べた図６に示す比較例と対比することで、本実施の形態に係るスタンド兼用カバー１の特徴的な構成と作用が、より明確に理解される。そこで、図７に、図６の例と図３の例の各要部を対比して示してある。
【００２８】
図７（ａ）に示すように、図６の例では、ヒンジ３０の取付片１３０に粘着面１３０ａが形成され、この粘着面１３０ａが平板状端末機Ｔの裏面８に貼り付けられる。それ以外の構成は、図３と同じである。
【００２９】
図６の例では、図７（ａ）に示すように、平板状端末機Ｔの自重により生ずる合力Ｃに対応して、ヒンジ３０の粘着面１３０ａを平板状端末機Ｔの裏面８から引き剥がそうとする力ｆが作用する。この引き剥がし力ｆは、図６の支点Ｓから最も遠い位置にある、粘着面１３０ａの下縁で最も強く働く。そして、粘着面１３０ａの下縁１３０ｂが平板状端末機Ｔから剥がれ始めると、下縁１３０ｂから上に向かって粘着面１３０ａの剥離が進行し、やがて粘着面１３０ａの全面が平板状端末機Ｔから剥がれてしまう。その結果、平板状端末機Ｔは倒れてしまう。
【００３０】
これに対し、図３の例では、図７（ｂ）に示すように、平板状端末機Ｔの自重により生ずる合力Ｃに対応して、ヒンジ３の取付片１３を接着層１５から引き剥がそうとする力Ｆ１が作用する。しかし、取付片１３と接着層１５との間は接着剤１４でしっかりと固着されているので、これら同士の間が容易に剥がれることはない。
【００３１】
ヒンジ３の取付片１３を接着層１５から引き剥がそうとする力Ｆ１は、接着剤１４を介して接着層１５に伝わる。これにより、接着層１５には、接着層１５を平板状端末機Ｔの裏面８から引き剥がそうとする力Ｆ２が作用する。しかし、この引き剥がし力Ｆ２によって接着層１５が容易に引き剥がされてしまうことはない。その理由は次の通りである。
【００３２】
図７（ｂ）の例では、接着層１５に作用する引き剥がし力Ｆ２は、図３の支点Ｓ（図６に示した支点Ｓと同じ）から最も遠い位置にある、接着剤１４の下縁１４ａに対応する部分で最も強く働く。しかし、図７（ｂ）に示すように、接着層１５は、接着剤１４の下縁１４ａに対応する部分よりもさらに下にまで延在しており、接着層１５の下縁１７に沿う沿縁部分１８は、ヒンジ３の取付片１３に対して非固着状態となっている。このため、接着層１５に作用する引き剥がし力Ｆ２は、接着層１５の接着剤１４がある部分に対してのみ作用し、接着層１５の下縁１７及び前記沿縁部分１８には作用しない。しかも、接着層１５における前記沿縁部分１８は、粘着面１５ａによって平板状端末機Ｔの裏面８に接着されている。このため、接着層１５に作用する引き剥がし力Ｆ２に対して、大きな耐性が保証される。その結果、引き剥がし力Ｆ２によって接着層１５が容易に引き剥がされてしまうことが防止できる。
【００３３】
なお、図１，図３及び図４に示すように、カバー本体２には滑り止め２０を設けておくのが好ましい。この滑り止め２０は、カバー本体２をスタンドとして使用する際に、平板状端末機Ｔの裏面８に接触する位置に配設する。平板状端末機Ｔの外殻は金属又はプラスチックで形成されることが多いので、滑り止め２０としては、金属面又はプラスチック面に対して大きな摩擦係数を有するものを用いる。例えば、薄いゴム板又はゴム膜をカバー本体２上に接着して、これを滑り止めとすることができる。
【００３４】
滑り止め２０を設けることで、カバー本体２をスタンドとして使用する際に、平板状端末機Ｔのずり下がりを抑止することができる。よって、平板状端末機Ｔからの接着層１５の剥離がより確実に防止できる。
【符号の説明】
【００３５】
１    スタンド兼用カバー
２    カバー本体
３    ヒンジ
１３  ヒンジの取付片
１４  接着剤
１５  接着層
１７  接着層の下縁
１８  接着層の反粘着面側における、接着層の下縁に沿う部分（沿縁部分）
１５ａ  接着層の粘着面
７    平板状端末機の表面
８    平板状端末機の裏面
２０  滑り止め
Ｔ    平板状端末機
【図１】
2015167043.tif 000003
【図２】
2015167043.tif 000004
【図３】
2015167043.tif 000005
【図４】
2015167043.tif 000006
【図５】
2015167043.tif 000007
【図６】
2015167043.tif 000008
【図７】
2015167043.tif 000009